(57)【要約】      （修正有）【課題】机の席で人と対面して会話をする場合において、相手の口から飛散する飛沫を遮断してコロナウイルス感染防止するための携帯可能で、かつ簡易組立型の飛沫遮断用ガードを提供する。【解決手段】机上に飛沫遮断のガードが設置されていない場合に、携帯可能な簡易組立型の飛沫遮断用ガードとして二つ折り、又は三つ折りの透明プラスチック２ケを上段部と下段部に少しずらして配置し、上段部と下段部の重なったところをクリップで少なくとも左右各１ヶ所固定したことを特徴とする携帯可能な簡易組立型の飛沫遮断用ガードで解決できる。【選択図】図１
0003234131.tif 000002
【実用新案登録請求の範囲】
【請求項１】
机の席で対面して会話するケースにおいて、飛散する飛沫を遮断するためのガードとして二つ折りの透明プラスチックをＶ字に開いたものを複数備え、それらの透明プラスチックを上段部と下段部に少しずらして配置し、上段部と下段部の重なったところをクリップで少なくとも左右２ヶ所を固定してなることを特徴とする携帯可能な簡易組立型の飛沫遮断用ガード
【請求項２】
請求項１の飛散する飛沫を遮断するためのガードは、三つ折りの透明プラスチックを両開き台形に開いたものを複数備え、それらの透明プラスチックを上段部と下段部に少しずらして配置し、上段部と下段部の重なったところをクリップで少なくとも左右２ヶ所を固定してなることを特徴とする携帯可能な簡易組立型の飛沫遮断用ガード。
【請求項３】
請求項１の飛散する飛沫を遮断するためのガードは、左右側スリットを有する透明プラスチックの下段部からなり、上段部を左右の２つのスリットに差し込で固定して、少なくとも左右２ヶ所をクリップ固定してなることを特徴とする携帯可能な簡易組立型の飛沫遮断用ガード
【考案の詳細な説明】
【技術分野】
【０００１】本考案は、コロナウイルス感染防止のための携帯用グッズに係り、Ａ４サイズの書類を収納できる程度の大きさのカバンで携帯できるコロナウイルス感染防止用の携帯可能な簡易組立型の飛沫遮断用ガードに関するものである。
【背景技術】
【０００２】本考案は、机の席で人と対面して会話をする場合において、相手の口から飛散する飛沫を遮断してコロナウイルス感染防止するための携帯可能で、かつ簡易組立型の飛沫遮断用ガードを提供するものである。
【先行技術文献】
【０００３】
【非特許文献１】文献１：ホームセンター・ナフコ公式通販サイト‘ｈｔｔｐｓ：／／ｎａｆｃｏ−ｏｎｌｉｎｅ．ｃｏｍ’製品カタログ２０２０「飛沫飛散防止パネルＨＶＢＰ６０１６」、「ナカバヤシＮ折りたたみパーテーションＰＴＳ−ＯＴ１０３４」（２０２０．１２．１開示）  本例は、飛沫飛散防止パネルで主に卓上固定型にて、会議やミーテイング、飲食店や対面商談などで「咳・くしゃみ等」の飛沫感染防止対策グッズである。本体は、幅６０４ｍｍＸ高６００ｍｍＸ奥行３０２ｍｍサイズで、厚み２ｍｍ、材料ＰＥＴ（ポリエチレンテレフタラートでＰＥＴボトルに使われている材料）から成り、Ａ４サイズ（幅２１０ｍｍｘ高２９７ｍｍ）より大きい。
【特許文献】
【０００４】文献２：実用新案登録第３２２９３９８号公報（２０２０．８．１７出願）
本例は、移動するバス車内において、運転席及び車内前方の空間への飛沫飛散防止する構造で、ビニールシートを用いて鉛直方向及び水平方向に移動させるシールド構造である。
文献３：実用新案登録第３２２７４８８号号公報（２０２０．４．２８出願）
本例は、飲食店などのカウンタやテーブルに簡単に設置し安心して対面会話ができ、面倒な消毒作業を必要とせずに、コロナウイルス感染防止を行うスタンドである。特に、フィルム状の透視カバーを有しており対面会話ができる固定構造である。【０００５】文献４：実用新案登録第３２２８２２６号公報（２０２０．７．２出願）
本例は、デスクやテーブルの天板上に簡単に設置し、十分な高さを有して立設した固定構造から成り、机上からの徹去も容易でパーティション越しの対面での意思疎通ができ、飛沫飛散防止及び抑制を可能とする飛沫飛散防止パーティションであり、上半部と下半部で構成されている。その上半部（透明樹脂板）と下半部（半透明なプラスチックダンボール板）をプラステックネジで上下連結され、脚部で固定されている。
文献５：実用新案登録第３２２９２０８号公報（２０２０．８．２５出願）
本例は、隣接する人同士を隔離するパネルを箱上とし正面を開けた固定構造である。その飛沫防止具の隔離パネルは、透明なＰＥＴ樹脂で構成され厚さ１．０ｍｍの簡単組立て構造である。上面パネルは、角度を有したパネルでありフラップ部材で構成され着脱できる固定構造である。
文献６：実用新案登録第３１７２５８８号公報（２０１１．８．１０出願）
本例は、携帯用のサイド・リーク・ガードマスクで、花粉やウィルスなどの人体への侵入を防ぎ、呼気が漏れて他人への感染力の低減を最大限に発揮できる不識布製サージカルマスク構造である。そのマスクは耳にかける可撓体から成り、マスク上縁部と左右縁部に針金をいれて強度アップした携帯用グッズである。【０００６】以上、これらの先行技術は、机の上に木製の枠を設置して枠の上方から透明のビニールシートを垂らしたもの、乗り物の車内にシールドを垂らすもの、卓上に剛性のある透明なプラスチック製ＰＥＴスタンド及び携帯できる頭部に嵌めた枠や眼鏡フレームに固定したプラスチックを口の前にセットしたもの（フェイスシールドやマウスシールドなど）がある。【０００７】上記の先行技術の文献１から文献５は、役所、会社、飲食店などにおいて、使用目的が固定された机上のケースでは有効なシステムであるが、様々な場所やケースで使用される多目的の机上では枠や透明ビニールシートを持って、わざわざ来なければならず適用が困難なことがあるという問題があった。また、先行技術の文献６は、マスクのように飛沫遮断用ガード機器そのものをケースにいれて持ち歩くのが大変であるという問題があった。
【考案の概要】
【考案が解決しようとする課題】
【０００８】人と対面して会話するケースとしては様々な状況があり、いつも会話する際の飛沫を遮断するためのガードが設置されている机があるとは限らず、また近くに移動可能な飛沫遮断用ガードがあるとは限らない。
本考案は、そのような場合の先行技術の問題点を解決するために、なされたものでありコロナウイルスを含んだ会話の飛沫を遮断するためのガードを簡易組立型にし、Ａ４サイズの書類カバンで携帯可能にして、個人が携帯することで様々な場所や机上でも飛沫遮断用として容易に使用できるようにすることを目的にしている。
【課題を解決するための手段】
【０００９】本考案は、上記先行技術の問題点を解決するためになされたものであり、飛沫遮断用ガードとして二つ折りの透明プラスチック２個と、それら２個の透明プラスチックをＶ字に開いたものを一部重ねて２段にし、重ねた部分の左右の端部をクリップ固定することで、簡易組立型の高さを十分に取る飛沫遮断用ガードを提供するものである。【００１０】本考案では、飛沫遮断用ガードの透明プラスチックを三つ折りにして左右に台形状に開いたものを一部重ねて２段式にすることで、飛沫遮断域を広くすることができる。
【考案の効果】
【００１１】本考案は、以下の様な効果を有する。
本考案によれば、飛沫遮断用ガードをＡ４サイズの書類カバン等で携帯可能な簡易組立型にしたことで、場所を限定することなく、どこの机上でも様々な形状の机でも、コロナウイルス感染を防止しつつ対面会話できると言う効果がある。
【図面の簡単な説明】
【００１２】
【図１】本考案の実施例の一例を示す簡易組立型の飛沫遮断用ガードの構成図である。
【図２】本考案の他の実施例を示す簡易組立型の飛沫遮断用ガードの構成図である。
【図３】二つ折りの透明プラスチックの折りたたんだ状態を示す構造図である。
【図４】三つ折りの透明プラスチックの折りたたんだ状態を示す構造図である。
【図５】本考案の他の実施例で、左右のガードに切り込みを入れた構成図である。
【図６】本考案の他の実施例で、下段部の左右のガードの切り込みに、上段部を挿し込んだ上下２段の構成図である。
【考案を実施するための形態】
【実施例】
【００１３】以下、添付の図面に従って、一実施例を説明する。
図１は、二つ折りの透明プラスチックをＶ字に開いたものを少し重ねて上下２段に配置した簡易組立型の飛沫遮断用ガードの一例を示した図である。１は二つ折り透明プラスチックの上段部、２は二つ折り透明プラスチックの下段部、３と４は上段部と下段部の透明プラスチックを固定するためのクリップである。【００１４】図２は、三つ折りの透明プラスチックを両開きの台形に開いたものを少し重ねて上下２段に配置した簡易組立型の飛沫遮断用ガードの一例を示した図である。５は三つ折り透明プラスチックの上段部、６は三つ折り透明プラスチックの下段部、７と８は上段部と下段部の透明プラスチックを固定するためのクリップである。【００１５】図３は、二つ折りの透明プラスチックを携帯する場合にＡ４サイズの書類を持ち運ぶカバンに収納するために畳んだ状況を示す図である。【００１６】図４は、三つ折りの透明プラスチックを携帯する場合にＡ４サイズの書類を持ち運ぶカバンに収納するために畳んだ状況を示す図である。【００１７】図５は、ポケット付きの両開きプラステックファイルをＶ字に開いたものに左右側にスリッ９と１０トを入れた簡易組立型の飛沫遮断用ガードの他の実施例を示した図である。【００１８】図６は、ポケット付きの両開きプラステックファイルをＶ字に開き、左右側のスリット９と１０に上段部１を挿入して固定し、クリップ３と４で左右固定した簡易組立型の飛沫遮断用ガードの他の実施例を示した図である。クリップ３と４をはずし、左右側のスリットから上段部を外すことができる。
【符号の説明】
【００１９】１  ：  二つ折りの透明プラスチックの上段部
２  ：  二つ折りの透明プラスチックの下段部
３  ：  上段部と下段部の透明プラスチックを固定するクリップ
４  ：  上段部と下段部の透明プラスチックを固定するクリップ
５  ：  三つ折りの透明プラスチックの上段部
６  ：  三つ折りの透明プラスチックの下段部
７  ：  上段部と下段部の透明プラスチックを固定するクリップ
８  ：  上段部と下段部の透明プラスチックを固定するクリップ
９  ：  両開きプラスチックファイルの左側スリット
１０：  両開きプラスチックファイルの右側スリット
１１：  両開きプラスチックファイルの下段部
【図１】
0003234131.tif 000003
【図２】
0003234131.tif 000004
【図３】
0003234131.tif 000005
【図４】
0003234131.tif 000006
【図５】
0003234131.tif 000007
【図６】
0003234131.tif 000008
【手続補正書】
【提出日】令和3年3月17日(2021.3.17)
【手続補正１】
【補正対象書類名】実用新案登録請求の範囲
【補正対象項目名】全文
【補正方法】変更
【補正の内容】
【実用新案登録請求の範囲】
【請求項１】
机の席で対面して会話するケースにおいて、飛散する飛沫を遮断するためのガードとして二つ折りの透明プラスチックをＶ字に開いたものを複数備え、それらの透明プラスチックを上段部と下段部に少しずらして配置し、上段部と下段部の重なったところをクリップで少なくとも左右２ヶ所を固定してなることを特徴とする携帯可能な簡易組立型の飛沫遮断用ガード。
【請求項２】
机の席で対面して会話するケースにおいて、飛散する飛沫を遮断するためのガードとして三つ折りの透明プラスチックを両開き台形に開いたものを複数備え、それらの透明プラスチックを上段部と下段部に少しずらして配置し、上段部と下段部の重なったところをクリップで少なくとも左右２ヶ所を固定してなることを特徴とする携帯可能な簡易組立型の飛沫遮断用ガード。
【請求項３】
請求項１の飛散する飛沫を遮断するためのガードとして左右側スリットを有する透明プラスチックの下段部とスリットを有しない透明プラスチックの上段部とからなり、上段部を下段部の左右の２つのスリットに差し込んで固定して、少なくとも左右２ヶ所をクリップ固定してなることを特徴とする携帯可能な簡易組立型の飛沫遮断用ガード。